(57)【要約】  事象データを動的に収集し、記憶するように構成されたプロセッサ手段と、プロセッサ手段によって制御される表示手段と、システムを表示モードまたはデータ転送モードに設定することを可能にするスイッチ手段とを備えるシステム。システムが表示モードであるときには、プロセッサ手段は、ユーザが読取り可能な数値を使用して数値、記憶された事象データをディスプレイ表示で表示するように表示手段を制御するように構成され、データ転送モードであるときには、プロセッサ手段は、記憶された事象データの少なくとも一部分の機械読取り専用の視覚的表現を生成するように構成され、かつ、機械読取り専用の視覚的表現を表示するように表示手段を制御するように構成される。【選択図】図６
2014531254.tif 000002
【特許請求の範囲】
【請求項１】
システム（１０、２１０、５００、６００）であって、
事象データを動的に収集し、記憶するように構成されたプロセッサ手段と、
前記プロセッサ手段によって制御される表示手段（１２、２６０、５１５、６１５）と、
前記システムを表示モードまたはデータ転送モードに設定することを可能にするスイッチ手段（１３、２４２、５１６）と
を備え、
前記表示モードであるときには、前記プロセッサ手段は、ユーザが読取り可能な数値を使用して、記憶された事象データを数値ディスプレイ表示で表示するように前記表示手段を制御するように構成され、
前記データ転送モードであるときには、前記プロセッサ手段は、前記記憶された事象データの少なくとも一部分の機械読取り専用の視覚的表現を生成するように構成され、かつ、前記機械読取り専用の視覚的表現を表示するように前記表示手段を制御するように構成される、
システム。
【請求項２】
前記生成された機械読取り専用の視覚的表現が、複数の連続する表現ディスプレイ表示を使用して表示される、請求項１に記載のシステム。
【請求項３】
前記表現ディスプレイ表示が、数値ディスプレイ表示の数に対応するデータを表示することが可能である、請求項１または２に記載のシステム。
【請求項４】
データの前記機械可読視覚的表現が、２Ｄマトリックスコード（６２０）の形態である、請求項１から３のいずれか一項に記載のシステム。
【請求項５】
データの前記表示された機械読取り専用の視覚的表現をキャプチャし、
データの前記キャプチャされた視覚的表現を処理して、前記視覚的表現によって表される前記事象データを生成し、
前記生成された事象データを記憶し、
前記生成された事象データのユーザが読み取り可能な数値表現を表示する
ように構成された受信側ユニット（６５０）を備える、請求項１から４のいずれか一項に記載のシステム。
【請求項６】
前記受信側ユニットが、事象データの前記表示された機械読取り専用の視覚的表現をキャプチャするように構成されたカメラ（６５１）と、前記機械読取り専用の視覚的表現によって表される前記事象データを生成し、記憶するために、事象データの前記キャプチャされた表現を処理するように構成されたプロセッサ手段と、前記生成された事象データのユーザが読み取り可能な数値表現を表示するように前記プロセッサ手段によって制御される表示手段（６５２）とを備える、請求項５に記載のシステム。
【請求項７】
前記受信側ユニットが、前記生成された事象データを外部受信機に送信するように構成される、請求項５または６に記載のシステム。
【請求項８】
薬剤リザーバまたは薬剤リザーバを受容するための手段と、
前記リザーバから一定量の薬剤を放出するための薬剤放出手段であって、
放出すべき投与量をユーザが設定することを可能にする設定手段、および
前記設定された用量を放出するために前記薬剤放出手段を駆動するまたは解放するための作動手段
を備える、薬剤放出手段と、
前記放出手段によって前記リザーバから放出される薬剤の量に関係するプロパティを表す事象データをキャプチャするための電子制御式検出手段であって、前記キャプチャされた事象データが、前記プロセッサ手段によって収集され、記憶される、電子制御式検出手段と
を備える、請求項１から７のいずれか一項に記載のシステム。
【請求項９】
患者の血液を分析し、前記患者の血液の血中グルコース値に対応する血中グルコース事象データを作成する血中グルコース計であって、前記作成された事象データが、前記プロセッサ手段によって収集され、記憶される、血中グルコース計
を備える、請求項１から８のいずれか一項に記載のシステム。
【請求項１０】
収集されたデータの送信のための方法において、
システムを提供するステップであって、
事象データを動的に収集し、記憶するように構成されたプロセッサ手段、
前記プロセッサ手段によって制御される表示手段、および
前記システムを表示モードまたはデータ転送モードに設定することを可能にするスイッチ手段
を備えるシステムを提供するステップと、
事象データを収集するステップと
前記表示モードであるときには、数字を使用してユーザに事象データを表示するように前記表示手段を制御するステップと、
前記データ転送モードであるときには、事象データの機械読取り専用の視覚表現を生成し、前記機械読取り専用の視覚的表現を前記表示手段に表示するステップと
を含む、方法。
【請求項１１】
前記収集されたデータが、動的にキャプチャされる、および／または動的に計算される、請求項１０に記載の方法。
【請求項１２】
データの前記機械可読視覚的表現が、２Ｄマトリックスコードの形態である、請求項１０または１１に記載の方法。
【発明の詳細な説明】
【技術分野】
【０００１】
本発明は、一般に、患者または医療供給者のような他の人が、たとえば、薬剤投与療法に関する医療データを管理すること、または、体液パラメータをキャプチャすることを可能にするシステムおよび方法に関する。例示的な実施形態では、本発明は、用量設定および用量放出手段と、薬剤送達用量データをキャプチャし、記憶するための組込み手段とを備える薬剤送達デバイスに関する。
【背景技術】
【０００２】
本発明の開示では、主に、インスリンの送達による糖尿病の治療のような、注射可能な薬剤および生物学的薬剤を使用する医学的治療について参照するが、これは、本発明の例示的な使用にすぎない。
【０００３】
薬剤送達デバイスは、薬剤および生物学的薬剤を自己投与しなければならない患者の生活を大幅に改善してきた。薬剤送達デバイスは、単純な使い捨て可能なデバイスを含む多くの形態を取ることができるが、これらは注入手段をもつアンプルくらいしかなく、あるいは、事前充填されたカートリッジとともに使用するように構成された恒久性のデバイスとすることもできる。進化した形態では、薬剤送達デバイスは、注入ポンプの形態であり得る。これらの薬剤送達デバイスは、それらの形態およびタイプにかかわらず、注射可能な薬剤および生物学的薬剤を患者が自己投与するのを支援する際に大きな助けとなることが分かった。また、これらの薬物送達デバイスは、注射可能な薬品を、自己注射を行うことができない患者に投与する際に、介護者を大いに支援する。
【０００４】
正しい時刻に正しいサイズで必要なインスリン注射を行うことは、糖尿病を管理するために必須である、すなわち、指定されたインスリン療法を順守することが重要である。医療従事者が処方された投与パターンの効果を判断することを可能にするために、糖尿病患者は、各注射のサイズおよび時間のログを残すように奨励される。しかしながら、そのようなログは、通常、手書きのノートに残され、記録された情報から、データ処理のためのコンピュータに容易にアップロードすることができない。さらに、患者が書き留めた事象だけが記録されるので、ノートによるシステムでは、記録された情報が患者の疾患の治療において任意の価値を有するものである場合、患者が各注入を記録するのを忘れないようにすることが必要とされる。ログに記録がないと、またはログの記録が誤っていると、注射履歴に関する画像が誤りを招き、したがって、将来の薬物療法に関する医療従事者の意思決定の根拠に誤りを招く結果となる。したがって、薬物送達システムから放出情報のロギングを自動化することが望ましいことがある。
【０００５】
それに応じて、いくつかの注射デバイスは、この監視／獲得機構をデバイス自体に組み込んで、たとえば、ＵＳ２００９／０３１８８６５およびＷＯ２０１０／０５２２７５に開示したように、自動化された電子ロギングフィーチャを提供する。そのようなデバイスは、典型的には、単に、ユーザが個々の投与事象、たとえば、投与量および用量送達の時間を表すデータを示すリストをトグルする、あるいはスクロールアップおよびスクロールダウンすることを可能にする比較的小さなディスプレイを有する。より優れた概観を提供するために、ユーザは、ＥＰ１１１６１９１２．８に開示されるように、ワイヤード転送またはワイヤレス転送、たとえば、ブルートゥースまたはＮＦＣを使用して、スマートフォンのような外部デバイスにログデータを転送することが可能であり得、これにより、ログデータを、はるかに大きいディスプレイ上に図式的にカラーで提示することが可能になる。しかしながら、そのようなワイヤレス送信機能を提供すると、電力消費を増大させることがあるので、薬剤送達デバイスがさらに複雑になる。さらに、受信側のスマートフォンは、薬剤送達デバイスのワイヤレス送信手段に適合しなければならない。
【０００６】
ＵＳ２００７／１４５１３７は、データの転記中のエラーを防止することを目的として、患者測定データを、数字フォーマットとバーコードフォーマットの両方で左右に並べて表示するように適合されたデバイスを開示する。ＵＳ２００７／００４５４２１は、人がデータを変更する可能性なしにデータを転送するために、バーコードを生成し、表示するように適合された自動販売機のためのバーコード表示デバイスを開示する。ディスプレイは、たとえば、時間および広告メッセージを表示することができる。
【発明の概要】
【発明が解決しようとする課題】
【０００７】
上記を考慮して、本発明の目的は、用量ログデータを収集し、記憶し、表示するように構成された薬剤送達デバイスのような、データを収集し、記憶し、表示するように構成されたデバイスからのデータの、コスト効果が高いと同時にエネルギー効果の高い転送をサポートするシステム、デバイスおよび方法を提供することである。
【課題を解決するための手段】
【０００８】
本発明の開示では、上述の目的のうちの１つまたは複数に対処する、または、以下の開示ならびに例示的な実施形態に関する記載から明らかな目的に対処する実施形態および態様について記載する。
【０００９】
したがって、本発明の第１の態様では、事象データを動的に収集し、記憶するように構成されたプロセッサ手段と、プロセッサ手段によって制御される表示手段と、システムを表示モードまたはデータ転送モードに設定することを可能にするスイッチ手段とを備えるシステムが提供される。システムが表示モードであるときには、プロセッサ手段は、ユーザが読取り可能な数値を使用して数値、記憶された事象データをディスプレイ表示で表示するように表示手段を制御するように構成され、データ転送モードであるときには、プロセッサ手段は、記憶された事象データの少なくとも一部分の機械読取り専用の視覚的表現を生成するように構成され、かつ、機械読取り専用の視覚的表現を表示するように表示手段を制御するように構成される。
【００１０】
本発明のコンテキストでは、「機械読取り専用の」という用語は、（通常の）人間には解読できないサイン、パターンまたはコードとして理解すべきである。ユーザが読み取り可能な数値を使用して記憶されたデータを表示することに加えて、単位、日付、時刻、ヘッダ、セパレータなどのような他の関連情報を表示するようにディスプレイを制御することもできる。
【００１１】
この構成によって、本発明のシステムは、たとえば、スマートフォン、タブレットコンピュータ、またはＰＣのような、カメラおよびディスプレイを備える多くの民生用電子装置およびデバイスにおいて容易に利用できるような、データを光学的にキャプチャするように構成されたデバイスの特徴と組み合わせて使用することができ、したがって、かかるデバイスを利用することができる。したがって、本発明と比較したときに高価で消費電力の大きな無線データ転送のための専用エレクトロニクスをなくすことが可能である。さらに、本発明は、無線通信レギュレータ、たとえば、ＦＣＣ（典型的には、様々な市場において異なる機関）から承認を得るという要件をなくし、かつ、新しい光プロトコルおよびソフトウェア更新を介したプロトコル更新を可能にすることができるので、同時に複数の光通信プロトコルを簡単にサポートする。また、本発明は、ユーザに送信側と受容側の両方を制御させることによって、直観的なデータ転送をサポートするので、データ転送を開始するデータ受信機へのデータ送信機の近接度を要求することによって、データの機密性および確実性をまた向上させることができる。近接センサが使用される場合には、追加のユーザステップは必要とされず、近接センサが使用されない場合には、ユーザは、手動アクティベーションによって、システムをデータ転送モードにすることができる。たとえば、携帯電話がデータレシーバとして使用される場合、データレシーバは、受信したデータを、複数の手段、たとえば、ＳＭＳ、データおよびＵＳＢを介して転送することができる。
【００１２】
事象データは、自動的に収集されたデータ（たとえば、薬剤用量サイズ、薬剤タイプ、ＢＧ値、時刻／日付、デバイスデータ／、セットアップパラメータ）、あるいは手動で入力されたデータ（たとえば、患者が入力したログ（たとえば、運動、食生活）、または属性（たとえば食前ＢＧ）またはコメント（たとえば、「嘔吐」））であり得る。すべてのデータを組み合わせて「フルログ」として転送することができ、あるいは、選択されたデータのみを転送することができる。さらに、セキュリティーデータおよび他のデータの保護および識別手段を追加することができる。
【００１３】
単一の実際の事象に対応するデータを転送することが可能であるが、本システムにより、単純で効率的な方法で履歴データを「全体を」転送することが可能になる。転送すべきデータ量および送信側ディスプレイのサイズに応じて、生成された機械読取り専用の視覚的表現は、複数の連続する表現ディスプレイ表示を使用して表示され得る。異なる画像が、たとえば５秒ごとに、自動的に生成され得、あるいは、ユーザによってプロンプトされ得る。データの機械読取り専用の視覚的表現は、いくつかの規格が存在する２Ｄマトリックスコード（２Ｄシステムは、一般的なドットパターンの様々なシンボルを使用するが、しばしば「バーコード」と呼ばれる）の形態であり得る。ディスプレイの解像度がより細かくなると、各ディスプレイ表示に、より多くのデータを表示することができ、たとえば、２Ｄバーコードを使用して、ディスプレイ表示当たり１０個の用量ログエントリを送信することができる。
【００１４】
本発明のシステムは、データの前記表示された機械読取り専用の視覚的表現をキャプチャし、データのキャプチャされた視覚的表現を処理して、視覚的表現によって表される事象データを生成し、生成された事象データを記憶し、生成された事象データのユーザが読み取り可能な数値表現を表示するように構成された受信側ユニットを備えることができる。データは、第三者システム（たとえば、リモートストレージ、データ解析および、たとえば医療提供者との共有のためのインターネットウェブページ）にさらに送信することができる。
【００１５】
例示的実施形態では、本システムは、薬剤リザーバまたは薬剤リザーバを受容するための手段と、リザーバから一定量の薬剤を放出するための薬剤放出手段であって、放出すべき投与量をユーザが設定することを可能にする設定手段、および設定された用量を放出するために薬剤放出手段を駆動するまたは解放するための作動手段を備える、薬剤放出手段とを備える薬物送達デバイスの形態である。本システムは、放出手段によってリザーバから放出される薬剤の量に関係するプロパティを表す事象データをキャプチャするための電子制御式検出手段であって、キャプチャされた事象データが、たとえば、投与量およびキャプチャ時刻を表すログデータセットとして、プロセッサ手段によって収集され、記憶される、電子制御式検出手段をさらに備える。薬物送達は、一体設計のもの、すなわち、単一のハウジングに異なる素子を備えるものとすることができ、あるいは、異なるユニットの間でのデータ転送またはキャプチャを備えるモジュラとすることができ、たとえば、プロセッサ手段（完全な、または部分的な）、記憶手段およびディスプレイは、別個のハウジング、たとえば、キャップユニットに、または、アドオンユニットに配列され得る。薬剤送達デバイスからキャップがいつ少なくとも部分的に取り外されたかを検出するための手段をもつキャップを提供することによって、薬物送達の実際の使用を示す情報を収集し、表示する非常に単純でコスト効果の高い方法を提供することができる。このキャブは、ＢＧ値と脱キャップデータとを同時に示すように構成されたディスプレイユニットと組み合わせて使用することができ、これにより、医療従事者の推奨との患者のコンプライアンスの概観が提供される。
【００１６】
さらなる例示的な実施形態では、本システムは、患者の血液サンプルを受け取り、患者の血液サンプルの血中グルコース値に対応する血中グルコース事象データを生成するための血中グルコース計（ＢＧＭ）であって、生成された事象データが、プロセッサ手段によって収集され、記憶される、血中グルコース計を備える。そのようなシステムは、従来のＢＧＭの形態、または、たとえば、薬物送達ペンに装着するように構成されたＢＧキャップの形態とすることができる。代替的には、持続血中グルコース計（ＣＧＭ）からデータを受信することができる。
【００１７】
上述のシステムが、事象データの表示された機械読取り専用の視覚的表現をキャプチャするように構成されたカメラと、機械読取り専用の視覚的表現によって表される事象データを生成し、記憶するために、事象データのキャプチャされた表現を処理するように構成されたプロセッサ手段と、生成された事象データのユーザが読み取り可能な数値表現を表示するようにプロセッサ手段によって制御される表示手段とを備える、たとえば、スマートフォンの形態の受信側ユニットを備えることができる。さらに、そのデータを外部システムにアップロードすることができる。
【００１８】
本発明のさらなる態様は、収集されたデータの送信のための方法において、（ａ）システムを提供するステップであって、事象データを動的に収集し、記憶するように構成されたプロセッサ手段、プロセッサ手段によって制御される表示手段、およびシステムを表示モードまたはデータ転送モードに設定することを可能にするスイッチ手段を備えるシステムを提供するステップと、（ｂ）事象データを収集するステップと、（ｃ）表示モードであるときには、数字を使用してユーザに事象データを表示するように表示手段を制御するステップと、（ｄ）データ転送モードであるときには、事象データの機械読取り専用の視覚表現を生成し、機械読取り専用の視覚的表現を表示手段に表示するステップとを含む、方法が提供される。収集されたデータは、動的にキャプチャされ得る、および／または動的に計算され得る。データの機械可読視覚的表現が、たとえば、２Ｄマトリックスコードの形態とすることができる。
【００１９】
本出願のコンテキストでは、本明細書および特許請求の範囲で使用する場合、「プロセッサ手段」という用語は、たとえば、データを処理し、記憶すると同時に、すべての接続された入出力デバイスを制御する特定の機能を提供するために好適な電子回路の任意の組合せをカバーする。プロセッサは、典型的には、サポート機能、ストレージ機能または制御機能のための追加デバイスによって補われ得る１つまたは複数のＣＰＵまたはマイクロプロセッサを備える。たとえば、通信インターフェース（たとえば、ワイヤレス）が提供される場合には、送信機および受信機は、プロセッサと完全にまたは部分的に統合しても、あるいは、個々のユニットによって提供してもよい。プロセッサ回路を構成する構成要素の各々は、特定用途デバイスまたは汎用デバイスとすることができる。「ディスプレイ手段」という用語は、特定の機能を視覚的に提供することが可能な任意のタイプのディスプレイ、たとえば、ＬＣＤまたはＯＬＥＤをカバーする。
【００２０】
本明細書で使用する場合、「インスリン」という用語は、カニューレまたは中空針のような送達手段を制御された方法で通過させることが可能である、液体、溶液、ゲルまたは微細懸濁液のような、また、血中グルコース制御効果を有する任意の薬剤含有流動可能薬品、たとえば、ＧＬＰ−１およびその類似体を包含することを意味するが、本発明は、他の注射可能なまたは吸入可能な薬剤ならびに生物学的薬剤、たとえば、成長ホルモンまたは抗体と組み合わせて使用することもできる。
【００２１】
以下に、図面を参照しながら、本発明についてさらに記載する。
【図面の簡単な説明】
【００２２】
【図１】装着されたキャップデバイスと組み合わせた薬剤送達デバイスを示す図である。
【図２】さらなるキャップデバイスを示す図である。
【図３】図２のキャップデバイスの分解図を示す図である。
【図４】薬剤送達デバイスに装着された、さらなるキャップデバイスを示す図である。
【図５】電子ロギングおよびディスプレイ手段を備える薬剤送達デバイスを示す図である。
【図６】カメラ付き携帯電話と組み合わせた薬剤送達デバイスを示す図である。
【発明を実施するための形態】
【００２３】
各図において、同様の構造は、ほとんど、同様の参照番号によって示されている。
【００２４】
「上側」および「下側」、「右」および「左」、「水平」および「垂直」、あるいは類似する関連する表現のような用語を使用するとき、これらは単に添付の図を参照するものであり、実際の使用状況を指すものではない。示された各図は概略図であり、そのため、異なる構造の構成ならびにそれらの相対寸法は、例示的な目的を果たすことのみ目的とする。
【００２５】
図１は、インスリン製剤を収容し、キャップデバイス１０がその上に装着された薬剤送達デバイス２０を備える薬剤送達アセンブリ１を示す。キャップは、キャップの内部に配列されたＢＧＭのためのストリップポートと、ＢＧ値および他の値ならびに２Ｄマトリックスコードを示すように構成された高解像度ディスプレイ１２（たとえばＬＣＤ、ＯＬＥＤまたはｅインクディスプレイ）と、所与の値（たとえば、ＢＧ読取値）を確認するように適合された入力ボタン１３と、ディスプレイモードと転送モードとの間のトグルと、所与のログ（たとえば、ＢＧログ）をスクロールするように適合されたアップ／ダウンボタン１５とを備える。キャップは、薬剤送達デバイスからキャップがいつ取り外されたかを検出するための手段をさらに備える。
【００２６】
患者がキャップデバイス１０を使用するので、ログは（容認された）ＢＧ値ならびに脱キャップ事象の作成された記憶ログである。ログは、実時間または相対時間のいずれかに基づき得る。ログが相対時間である場合、相対時間スタンプは、外部デバイスに転送される絶対時間スタンプを備えている。
【００２７】
図２は、ＢＧＭキャップ２１０の代替構成を示しており、キャップの遠位端には、ストリップポート２２２、ディスプレイ２６０およびユーザボタン２４２が配列されている。図３を見ると分かるように、キャップ２１０は、全体的に管状のメインシャシー２２０が配列されたハウジング部材２０１を備え、メインシャシー２２０は、ねじ２２３によってストリップポート２２２が取り付けられた頂部シャシー２２１を有する。メインシャシーには、ばね支持部材２３０が取り付けられている。アクチュエータカップ２３１は、摺動してメインシャシーに受けられ、非装填位置と装填位置との間で移動することができ、アクチュエータカップは、ばね支持とカップの遠位端との間に配列されたばね２３２によってその初期位置に向かって付勢され、アクチュエータカップは、図１に示されるように対応する薬剤送達デバイスの遠位端にキャップが装着されたときに遠位方向に移動するように適合される。キャップは、ボタンスイッチ２４１ならびにエネルギー源、コントローラおよびメモリ手段（図示せず）が配列された第１のＰＣＢ２４０と、カップ作動スイッチ手段２５１およびＢＧＭユニット（図示せず）が配列された第２のＰＣＢ２５０とをさらに備える。カップ２３１が軸方向に移動し、それにより、脱キャップ事象を検出したときに、スイッチ手段２５１を作動させる。ディスプレイ２６１は、第１のＰＣＢに接続され、頂部シャシーに取り付けられた透明窓部材２６２によって覆われており、頂部シャシーにはさらに、アクセル２４３を用いて２つのボタン２４２が取り付けられており、ボタンを枢動させることが可能である。
【００２８】
図４は、キャップデバイス３１０がその上に装着された、図１に示すタイプの薬剤送達デバイス３２０を備える薬剤送達アセンブリ３０１を示している。キャップデバイスは、図２のＢＧＭキャップデバイスと同様であるが、たとえば、ソフトウェアのアップデートを可能するワイヤード通信に適合するＩ／Ｏポート３１９を備えている。
【００２９】
図１の図示の実施形態では、薬剤送達デバイスは、１度だけ使用するように意図された事前充填されたペンデバイスであるが、ペンは、交換可能な薬剤カートリッジとともに使用されるように意図された恒久的デバイスとすることもできる。ペンは、恒久タイプのものである場合、用量ログを検出し生成するため電子手段ならびに表示手段を備えることができる。
【００３０】
図５に、そのようなペン５００を示す。このペンデバイスは、（ここでは、キャップデバイス１０とは関係のない通常のキャップとして示された）キャップ部分５０１と主要部分５０２とを備え、主要部分５０２は、薬剤放出機構が配列された近位部５１０と、遠位の針が貫通可能なセプタムをもつ交換可能な、薬剤が充填された透明なカートリッジ５２１が配列され、近位部に着脱可能に装着されたカートリッジホルダ５２２によって所定の位置に保持された遠位リザーバ部５２０とを有し、カートリッジホルダは、カートリッジの一部分を検査することができるようにする開口部を有している。カートリッジは、放出機構の一部を形成するピストンロッド５１１によって駆動されるピストン５２３を備え、ピストンロッドは、新たなカートリッジを装着するときに押し戻されるように適合される。最も近位にあるボタン５１２は、所望の用量の薬剤を手動で設定し放出するように機能する。このタイプの機械式ペン型薬剤送達デバイスがよく知られている（たとえば、図示のタイプのペンの内部構造についてさらに詳細に示しているＷＯ９９／３８５５４を参照）。カートリッジ（または代替的にはカートリッジホルダ）は、図示の例では、針アセンブリ５３０のハブ５３１の内部ねじを係合するように適合された雄ねじを有するハブマウント５２５の形態の遠位結合手段を備えている。近位部は、ディスプレイ５１５と、ユーザによる作動が可能なキー５１６と、排出機構によって実行される動作を表す情報を検出し、記憶するための電子手段（図示せず）とをさらに備える。ディスプレイは、たとえば、３０×３０ピクセルを提供する高解像度のドットマトリックス部分を備え、これにより、２Ｄマトリックスコードを、たとえば、Ｑｕｉｃｋ  ＲｅｓｐｏｎｓｅコードまたはＡｚｔｅｋコードで表示することが可能になる。
【００３１】
設定用量および／または放出用量を検出するための検出手段は、ピストンロッドの位置を直接的にまたは間接的に検出するように適合され得る（たとえば、参照により本明細書に組み込まれるＵＳ６，５８５，６９８を参照）。電子手段は、ユーザによって実行された注射を表すデータを、時間および用量ログの形態で記憶するように適合される。ディスプレイは、ボタン５１２を使用してユーザによって設定される実際の用量、最後の用量（たとえば、放出されたユニットの量）、および最後の用量後の経過時間（または最後の用量に関する実時間）を示すことができ、あるいは、ユーザはログをスクロールして前に放出したデータを表示するためにキー５１６を使用することができる。
【００３２】
図６は、スマートフォンタイプの携帯電話６５０と組み合わせた薬剤送達ペン６００を簡略図で示している。このペンは、上記で説明したペン５００と同じ一般的なタイプのものであり、所望の解像度で、たとえば３０ｘ３０ピクセルで２Ｄマトリックスコード６２０を表示することが可能なディスプレイ６１５を備える。携帯電話は、この電話の組込みソフトウェアによる復号を可能にするために、必要とされる解像度およびシャープネスの画像をキャプチャするように適合されたカメラ６５１を備える。次いで、復号したデータを、たとえば、都合のよいフォーマットで、たとえば、表およびグラフの形態でデータを表示するためにペン製造業者によって供給されたソフトウェアを使用して、携帯電話のディスプレイ６５２に表示することができる。ペンは、ローリングスタックに、限られた数のデータ、たとえば、３０個のログエントリを保持することができ、それらのデータは、転送セッションごとにその全体が転送される。携帯電話によって受信されると、これらデータは、すでに携帯電話中にあるデータとマッチングされ、冗長データが削除される。また、携帯電話に内蔵されたデータ伝送フィーチャを使用して、キャプチャされたデータを他のシステムまたはデバイス、たとえば、ＰＣに送信することができる。
【００３３】
好ましい実施形態に関する上述の説明では、異なる構成要素に上述した機能を提供する異なる構造および手段について、本発明の概念が当業者に明らかになる程度に記載してきた。異なる構成要素のための詳細な構成および仕様は、本願明細書に述べたラインに沿って当業者によって実行される通常の設計手順の目的と考えられる。
【図１】
2014531254.tif 000003
【図２】
2014531254.tif 000004
【図３】
2014531254.tif 000005
【図４】
2014531254.tif 000006
【図５】
2014531254.tif 000007
【図６】
2014531254.tif 000008
【国際調査報告】
2014531254.tif 000009
2014531254.tif 000010
2014531254.tif 000011